(57)【要約】      （修正有）【課題】鋏や包丁等の刃物の先端を保護する刃物サックに御守が取付けられ、理美容師等の刃物を扱う者の厄除け・開運等に資すると共に、装飾効果にも優れた御守付き刃物サックを提供する。【解決手段】鋏や包丁等の刃物７の先端８を保護する袋状の刃物サック２において、前記刃物サック２に御守１が取り付けられている。取り付け要領は、御守１が刃物サック２に接着又は縫合されて取り付けられたり、御守１が刃物サック２に一体化されて成る。或いは紐やバンド４を介して取り付けられる。【選択図】図７
0003169963.tif 000002
【実用新案登録請求の範囲】
【請求項１】
鋏や包丁等の刃物の先端を保護する袋状の刃物サックにおいて、
前記刃物サックに御守が取り付けられていることを特徴とする御守付き刃物サック。
【請求項２】
御守が刃物サックに接着又は縫合されて取り付けられていることを特徴とする、請求項１に記載した御守付き刃物サック。
【請求項３】
御守が刃物サックに一体化されて成ることを特徴とする、請求項１に記載した御守付き刃物サック。
【請求項４】
御守が刃物サックに紐を介して取り付けられていることを特徴とする、請求項１に記載した御守付き刃物サック。
【請求項５】
御守が刃物サックに設けられたバンドや小孔を介して、当該刃物サックに取り付けられていることを特徴とする、請求項１又は４に記載した御守付き刃物サック。
【請求項６】
刃物サックが布製で形成されていることを特徴とする、請求項１〜５のいずれか１項に記載した御守付き刃物サック。
【考案の詳細な説明】
【技術分野】
【０００１】
本考案は、鋏や包丁等の刃物（以下、単に刃物ともいう。）の先端を保護するカバー体の刃物サックに関し、さらに言えば、当該刃物サックに御守が取付けられ、刃物を扱う者の開運・厄除け等を祈願して使用される御守付き刃物サックの技術分野に属するものである。
【背景技術】
【０００２】
従来、神社やお寺では、開運・招福、厄除け・魔除けを祈願して、いわゆる御守と称する袋状の縁起物が広く参詣人に販売・授与されている。このように歴史の長い御守も、現代風にアレンジした新商品が開発され始めている。
【０００３】
例えば、実用新案登録第３０５５２７０号公報には、間隔を置いて複数の差込孔を設け、外形面および表面を御守状に形成した着色プラスチック製のネームホルダープレートと、脚部の下端に係止突起を形成すると共に上端に文字表示片を形成した係止脚付き文字板とを備え、前記着色プラスチック製のネームホルダープレートの各差込孔に、係止脚付き文字板を自在のネームとして配列されるよう、脚部の係止突起を差込み、当該係止突起が各差込孔に係止、固定されるようにしたことを特徴とするネーム付き御守グッズが記載されている（同公報記載の請求項１参照）。
【先行技術文献】
【特許文献】
【０００４】
【特許文献１】実用新案登録第３０５５２７０号公報
【考案の概要】
【考案が解決しようとする課題】
【０００５】
前記文献１のネーム付き御守グッズの場合、従来の御守と比較して、視覚上、機能上の斬新な興趣を付与させられ、個人用の御守として、又はプレゼント用として、若者等が日常に携帯するキーホルダー、ブローチ、アクセサリー等を兼用して使用することができる。
【０００６】
しかし、このネーム付き御守グッズは、刃物サックに御守が取付けられて成る構成ではなく、刃物サックの御守として使用することはできない。
【０００７】
したがって、本考案の目的は、鋏や包丁等の刃物の先端を保護する刃物サックに御守が取付けられ、理美容師又は一般人で刃物を扱う者の厄除け・開運等に資すると共に、装飾効果にも優れた御守付き刃物サックを提供することにある。
【課題を解決するための手段】
【０００８】
上記課題を解決するための手段として、請求項１記載の考案の御守付き刃物サックは、鋏や包丁等の刃物７の先端８を保護する袋状の刃物サック２において、前記刃物サック２に御守１が取り付けられていることを特徴とする。
【０００９】
請求項２記載の考案は、前記御守１が刃物サック２に、接着又は縫合されて取り付けられていることを特徴とする。
【００１０】
請求項３記載の考案は、前記御守１が刃物サック２に一体化されて成ることを特徴とする。
【００１１】
請求項４記載の考案は、前記御守１が刃物サック２に、紐３を介して取り付けられていることを特徴とする。
【００１２】
請求項５記載の考案は、前記御守１が、刃物サック２に設けられたバンド４や小孔５を介して、当該刃物サック２に取り付けられていることを特徴とする。
【００１３】
請求項６記載の考案は、前記刃物サック２が布製で形成されていることを特徴とする。
【考案の効果】
【００１４】
本考案の御守付き刃物サックは、鋏や包丁等の刃物の先端を保護する袋状の刃物サック自体に、御守が取り付けられているので（請求項１）、理美容師又は一般人で刃物を扱う者の厄除けや開運等に資する。
【００１５】
また、この御守付き刃物サックは、その御守が有する独特の装飾性があるから、神社やお寺のみならず、観光地の売店や通常の店舗等でも取り扱って販売できる販路の拡大や需要の喚起に貢献する。
【００１６】
刃物サックへの御守の取り付けは、接着や又は縫合等によって簡単に取り付けることができる（請求項２）。或いは、請求項３のように、刃物サックの製作時に、御守を当該刃物サックに一体化させて成形する手段により一層簡便かつ合理的にこの御守付き刃物サックを提供できる。
【００１７】
更には、刃物サック側に予め付設されている紐を利用して、その紐に御守を取付けたり、或いは御守側に予め付設されている紐を利用して、刃物サックに御守を取り付けられ、扱いやすく商品化しやすい（請求項４）。
【００１８】
また、刃物サックに設けられたバンドや小孔を介して、御守を当該バンドや小孔に取り付け自在な融通性もある（請求項５）。
【００１９】
加えて、請求項６のように、刃物サックが布製で形成されている場合、御守付きの当該刃物サックを丸めて収納・携行したり、販売できる利便性もある。
【考案を実施するための最良の形態】
【００２０】
本考案に係る御守付き刃物サックの好適な実施形態を、以下図面に従って説明する。
【００２１】
この実施形態の御守付き刃物サックは、図７に示したような鋏の刃物７（その他、包丁等の刃物７にも適用可能）の刃先の先端８を保護するために、同先端８を収納可能な袋状に形成された刃物サック２に適用される（図１、図２、図１４参照）。
【００２２】
刃物サック２は、革製で製造されるほか、布製で製造することも好適に行われる。布製の刃物サック２は、後述のように取り付けられた御守１（通常布製）と共に、丸めてコンパク化することができる。
【００２３】
前記刃物サック２に、神社やお寺で通常扱われているような御守１が取り付けられている。御守１には様々な態様の文字や模様が記されるが、図１に示したような「御守」の文字のほか、「お守り」や「はさみ御守」、「包丁お守り」、「刃物御守」等の御守１に関連した各種文字や絵柄（図示は省略）が記されているものである。
【００２４】
御守１の刃物サック２への取り付け要領につき説明する。
【００２５】
図１及び図２は、御守１が刃物サック２の製造時に一体化されて取り付けられた実施形態を示している。また、御守１が刃物サック２の表面６に接着や縫合によって取り付けられている形態も好適に実施される。これらは、いわゆる直付けタイプである。
【００２６】
また、図３に示したように、刃物サック２の上方口部に予め取り付けられた紐３に、「御守」の文字が記された御守１を別個に接続して取り付けてもよい（外付けタイプ）。或いは、御守１側に取り付けられた紐３を、刃物サック２の上方口部の付近に接続して取り付ける実施形態も行われる。
【００２７】
刃物サック２には、留めバンド４が予め備え付けられているものも多く（図１）、そのような刃物サック２側のバンド４に、御守１を接続して取り付ける形態でも好適に実施される（図４）。
【００２８】
さらに図５や図６に示したように、刃物サック２の上端（図５は上端一側部、図６は上端中央部）に小孔５を予め開けておき、この小孔５に御守１の紐３を挿通して取り付ける実施形態も採用可能である。
【００２９】
なお、御守１の位置は、刃物サック２の表面６において特に問わない。例えば、図８図示例のように、刃物サック２の表面６（正面）の上方位置に取り付けたり、図９図示例のように、刃物サック２の表面６（正面）の中央よりやや下方位置に取り付けられる。その際、同図８、図９の右側に側面方向視を図示したように、御守１の上端部のみを刃物サック２の表面６に取り付けて係止する実施形態であってもよい。
【異なる実施形態】
【００３０】
図１０〜図１４は、御守１が取付けられた異なる袋状の刃物サック２′の実施形態を示している。本実施形態では、最終的には図１４に示したような袋状の刃物のサック２を形成する一枚の布２′が使用される。
【００３１】
すなわち、当該布２′は、図１０に示したように、正方形状の一枚の布２′の裏面２５において、前端部２３の略中央に、「御守」の文字から成る御守１が予め記されている。当該布２′の大きさは、図１１に示したような刃物７（鋏）を中央に載置した際、前後左右から折り畳んで当該刃物７を内包できる長さ分の右端部２０、左端部２１、後端部２２、前端部２３の各端部を備えた大きさに形成されている。
【００３２】
よって、図１１のように、表面２４を上にして広げられた当該布２′の略中央に刃物７は載置される。すなわち、この状態で当該布２′の裏面２５に記された御守１の文字は見えない。なお、この布２′（刃物サック２）に内包される刃物７は、上記のように１本ではなく複数本であってもよい。
【００３３】
そして、左右の端部２０、２１が内側に折り畳まれて当該刃物７の上に被覆される（図１２）。次に、後端部２２が内側に折り畳まれた後（図１３）、図１４のように、前端部２３が折り畳まれて袋状の刃物サック２に形成される。
【００３４】
かくして、この布２′の前端部２３の裏面２５に予め記されていた「御守」の文字からなる御守１が正面に配置されて成る本実施形態によっても、上記と同様の御守付き刃物サック２が形成される。
【００３５】
このように、布２′により左右・前後の端部を折り畳んで袋状の刃物サック２を形成するほか、当該布２′の後端部２２が上端部２３に至るまでくるくるとロール状に巻かれて袋状に形成される実施形態も採用可能である（図示は省略）。
【図面の簡単な説明】
【００３６】
【図１】御守付き刃物サックを示した正面図と側面図である。
【００３７】
【図２】異なるタイプの御守付き刃物サックを示した正面図と側面図である。
【００３８】
【図３】御守が紐を介して取り付けられた御守付き刃物サックを示した正面図と側面図である。
【００３９】
【図４】御守が刃物サックのバンドを介して取り付けられた御守付き刃物サックを示した正面図と側面図である。
【００４０】
【図５】御守が刃物サックの小孔を介して取り付けられた御守付き刃物サックを示した全体図である。
【００４１】
【図６】御守が刃物サックの異なる位置の小孔を介して取り付けられた御守付き刃物サックを示した全体図である。
【００４２】
【図７】御守付き刃物サックに刃物が収納された状態を示した全体説明図である。
【００４３】
【図８】上部に御守が取り付けられた御守付き刃物サックを示した正面図と側面図である。
【００４４】
【図９】中央下方部に御守が取り付けられた御守付き刃物サックを示した正面図と側面図である。
【００４５】
【図１０】異なる実施形態の御守付き刃物サックを示した裏面図である。
【００４６】
【図１１】異なる実施形態の御守付き刃物サックの形成要領を示した斜視図である。
【００４７】
【図１２】異なる実施形態の御守付き刃物サックの形成要領を示した第２斜視図である。
【００４８】
【図１３】異なる実施形態の御守付き刃物サックの形成要領を示した第３斜視図である。
【００４９】
【図１４】異なる実施形態の御守付き刃物サックを示した完成図である。
【符号の説明】
【００５０】
１      御守
２      刃物サック
３      紐
４      バンド
５      小孔
７      刃物
８      先端
【図１】
0003169963.tif 000003
【図２】
0003169963.tif 000004
【図３】
0003169963.tif 000005
【図４】
0003169963.tif 000006
【図５】
0003169963.tif 000007
【図６】
0003169963.tif 000008
【図７】
0003169963.tif 000009
【図８】
0003169963.tif 000010
【図９】
0003169963.tif 000011
【図１０】
0003169963.tif 000012
【図１１】
0003169963.tif 000013
【図１２】
0003169963.tif 000014
【図１３】
0003169963.tif 000015
【図１４】
0003169963.tif 000016